(57)【特許請求の範囲】
【請求項１】
チューナによりＦＭ／ＡＭ周波数を受信して音声出力する放送局音源と、前記放送局音源以外の他の音源を再生出力する機能を有し、セレクタにより所望の音源を選択動作させるとともに、前記ＦＭ周波数の空き周波数に文字情報がＦＭ多重化されたＦＭ信号を受信して対応する文字情報を表示器に表示する文字放送受信可能なオーディオシステムにおいて、前記セレクタにより前記他の音源が選択されており、前記チューナによる受信バンドがＡＭであるときには、直前に受信したＦＭ多重化データの周波数に前記チューナの受信周波数を変更して前記ＦＭ多重化データの受信を実行することを特徴とする文字放送受信可能なオーディオシステム。
【発明の詳細な説明】
【０００１】
【発明の属する技術分野】
本発明は文字放送受信可能なオーディオシステムに関し、特にＦＭ文字情報放送の文字情報受信機能を改善した文字放送受信可能なオーディオシステムに関する。
【０００２】
【従来の技術】
文字放送受信可能なオーディオシステムに用いられる音源としては、ＣＤ、テープレコーダ、ＭＤ、ＡＭやＦＭ放送、更にはテレビジョン放送等の各種の音源が採用されている。この種の文字放送受信可能なオーディオシステムでは、音源の状態や情報を表示するための表示器が装備されている。例えば、音源として、ＣＤが選択されている時は、図４に示すように、表示器１０１に“ＣＤ”が、表示器１０２にはトラック番号、再生時間等を表示し、チューナ選択時には、受信バンド、周波数、受信状態等を表示している。これらの音源の切り換えは、装備されているセレクタの操作により行われる。
【０００３】
近年、ＦＭ放送の周波数を有効に活用するために、割り当てられている周波数帯のうち利用されていない隙間周波数帯に文字情報を多重化して送出し、受信機側では、この多重化されたＦＭデータを受信し、デコードして文字情報を表示器に表示する、いわゆる見えるラジオ機能を有する文字放送受信可能なオーディオシステムの市場も拡大している。
【０００４】
従来のこの種の文字放送受信可能なオーディオシステムでは、見えるラジオ機能動作では、セレクタによりチューナを選択し、ＦＭバンドを受信し、ＦＭ多重データをデコードして表示器に文字情報を表示させている。
【０００５】
【発明が解決しようとする課題】
ところで、セレクタがチューナを選択している場合には、ラジオ放送局の受信周波数が表示器に表示されるので、受信バンドや受信周波数をユーザは視認できるので「文字放送」を受信できるか否かは判定できる。
【０００６】
しかしながら、セレクタがチューナ以外の音源、例えば、ＣＤやＭＤを選択している場合は、表示器には、上述の如く、音源に関する情報が表示され、受信周波数は全く表示されないので、文字情報多重データが受信可能か否かの判定はできない。
【０００７】
従来、文字放送データをデコードするデコード回路の出力が一定時間以上存在しなかったときに文字放送ではない、つまり、ＦＭ多重データの受信が不可能であると判定するものであった。したがって、セレクタでチューナ以外の音源が選択されている場合に、文字放送を受信したいときには、文字放送受信不可能であることがわかるよいになるには上記一定時間経過してからであり、迅速な次なる対応が困難であった。
【０００８】
そこで、本発明の目的は、チューナ以外の音源選択時においても文字放送受信が可能か否かを迅速に知らせることができる文字放送受信可能なオーディオシステムを提供することにある。
【０００９】
【課題を解決するための手段】
前述の課題を解決するため本発明による文字放送受信可能なオーディオシステムは、次のような特徴的構成を採用している。
【００１０】
（１）チューナによりＦＭ／ＡＭ周波数を受信して音声出力する放送局音源と、前記放送局音源以外の他の音源を再生出力する機能を有し、セレクタにより所望の音源を選択動作させるとともに、前記ＦＭ周波数の空き周波数に文字情報がＦＭ多重化されたＦＭ信号を受信して対応する文字情報を表示器に表示する文字放送受信可能なオーディオシステムにおいて、前記セレクタにより前記他の音源が選択されており、前記チューナによる受信バンドがＡＭであるときには、直前に受信したＦＭ多重化データの周波数に前記チューナの受信周波数を変更して前記ＦＭ多重化データの受信を実行する文字放送受信可能なオーディオシステム。
【００１３】
【発明の実施の形態】
以下、本発明による文字放送受信可能なオーディオシステムの実施の形態について添付図面を参照しながら説明する。
【００１４】
図１には本発明による文字放送受信可能なオーディオシステムの基本構成ブロック図が示されている。本実施形態においては、ラジオ、ＣＤ、ＭＤを音源とし、セレクタ１２０によりこれらの音源が切り換えられ、見えるラジオ機能による文字情報が表示される。これらを含めシステム全体の制御がＣＰＵ１００により行なわれる。
【００１５】
見えるラジオ機能による文字情報は、表示器１０１に表示され、表示器１０２にはチューナ部の受信周波数が表示される。これらの表示制御は、ＣＰＵ１００により制御される表示器制御部１０３によって行なわれる。音源としてのＣＤ１０８、ＭＤ１０９、ＦＭやＡＭ等のチューナを構成するＦＭ受信部１１４、ＡＭ受信部１１６、チューナ部１１５、ＦＭ受信部１１４からのＦＭ信号を受けるＦＭ文字多重放送受信部１１３、このＦＭ文字多重放送信号の多重データをデコードする多重デ−タデコード回路１１２を備える。
【００１６】
電源スイッチ１１８、ＦＭ多重受信ＯＮ／ＯＦＦスイッチ１１９、セレクタ１２０及び受信バンド切換スイッチ１２１からの操作情報がキー操作部１１７を介してＣＰＵ１００に送出される。すなわち、電源スイッチ１１８でシステム動作がＯＮされ、ＦＭ多重受信ＯＮ／ＯＦＦスイッチ１１９により上記見えるラジオ機能がＯＮ／ＯＦＦされ、セレクタ１２０によりチューナ機能とＣＤ、ＭＤ等の再生機能が選択され、受信バンド切換スイッチ１２１によりチューナのＦＭ、ＡＭ等のバンドが切り換えられる。
【００１７】
文字コード記憶部１０４には、表示されるべき文字に対応する文字コードが記憶されている。ＦＭ受信周波数記憶部１０５には、ＦＭ受信周波数情報が記憶されている。ＦＭ多重受信判定／記憶部１０６は、受信しているＦＭ周波数帯が文字情報放送しているか否かを判定して記憶する。
【００１８】
ＦＭ多重局周波数記憶部１０７は、文字放送を行なうＦＭ周波数を記憶している。セレクタ情報記憶部１１０には、セレクタ１２０で選択されている音源に関する情報が記憶されており、受信バンド情報記憶部１１１はチューナ部１１５による受信バンド情報が記憶される。
【００１９】
図２は本発明による文字放送受信可能なオーディオシステムの一実施形態の動作処理手順を示すフローチャートである。
【００２０】
本実施形態においては、セレクタ１２０がチューナ以外の音源を選択している場合の動作を説明している。したがって、この場合には、図４に示すように、表示器１０１には、セレクタ１２０で選択されている音源（本例では、ＣＤ）が表示され、表示器１０２には、ＣＤに関する情報（例えば、再生ＣＤのＤＩＳＣ  ＮＯ．や再生時間）が表示されており、ユーザは文字情報が受信できるか否かは全くわからない状態である。
【００２１】
先ず、チューナ部１１５からのＦＭ信号に基づいて多重データデコード部１１２によるＦＭ多重データのデコード出力をＣＰＵ１００が受信、処理してＦＭ多重データ受信がＯＫか否かを判定する（ステップＳ１０１）。この判定は、受信電界強度が弱く継続的な受信ができるかどうかの判定も含む。ここで、ＦＭ多重データ受信ができる（ＯＫ）と判定された場合には、ＦＭ多重受信判定／記憶部１０６にＦＭ多重モードを示すデータとして“１”を記憶し（ステップＳ１０２）、受信できない（ＮＧ）と判定された場合には、ＦＭ多重受信判定／記憶部１０６にＦＭ多重モードでないことを示すデータとして“２”を記憶して（ステップＳ１０３）、ステップＳ１０４の処理に移行する。
【００２２】
ステップＳ１０４では、ＦＭ多重受信ＯＮ／ＯＦＦスイッチ１１９がＯＮ操作されており、ユーザが文字放送の受信を希望しているか否かを判定する。この判定は、ＦＭ多重受信ＯＮ／ＯＦＦスイッチ１１９からの操作情報をキー操作部１１７を介して受けたＣＰＵ１００が判定する。ステップＳ１０４において、ＯＮ操作されていなければ処理を終了し、ＯＮ操作されていれば、セレクタ１２０により選択されている音源（ＣＤ，ＭＤ等）をセレクタ情報記憶部１１０に記憶する。
【００２３】
続いて、ステップＳ１０６において、現在の受信バンドがＦＭか否かを判定する。ここで、ＦＭバンドでなければ（ＮＯ）、文字放送受信は不可能であるから、直ちにその旨を“データ受信できません”表示として、例えば、３秒間表示した後（ステップＳ１０９）、ステップＳ１０５にて記憶したセレクタ１２０で選択されている音源（本例では、ＣＤ）に関する情報表示を、図４に示すように表示器１０１，１０２に行なう。
【００２４】
一方、ステップＳ１０６において、受信バンドがＦＭであるときには（ＹＥＳ）、ＦＭ多重受信判定／記憶部１０６に記憶されているデータが“２”であるか、即ち、ＦＭ多重データ受信が不可能（ＮＧ）であるか否かを判定する（ステップＳ１０７）。
【００２５】
ステップＳ１０７における判定が“２”であり（ＹＥＳ）、ＦＭ多重データ受信が不可能（ＮＧ）であると判定された場合には、上述ステップＳ１０９とステップＳ１１０の処理を実行して、“データ受信できません”の表示及びセレクタ１２０で選択されている音源に関する表示を行なう。
【００２６】
また、ステップＳ１０７において、ＦＭ多重データ受信が不可能ではない（ＮＧではない：“２”以外）と判定された場合には、多重受信判定／記憶部ＦＭ１０６に記憶されているデータが“１”であるか、即ち、ＦＭ多重モードであるか否かを判定する（ステップＳ１０８）。
【００２７】
ステップＳ１０８において、“１”ではない（ＮＯ）と判定されたときには、処理を終了し、“１”でありＦＭ多重モードであると判定された場合には、「見えるラジオ」表示動作を実行し（ステップＳ１１１）、現在の周波数をＦＭ多重局周波数としてＦＭ多重局周波数記憶部１０７に記憶して（ステップＳ１１２）、処理を終了する。
【００２８】
図３は本発明による文字放送受信可能なオーディオシステムの他の実施形態の動作処理手順を示すフローチャートである。
【００２９】
本実施形態も、図２と同様に、セレクタ１２０がチューナ以外の音源を選択している場合の動作についてのものである。
【００３０】
本実施形態では、先ず、現在受信中のＦＭ受信周波数をＦＭ受信周波数記憶部１０５に記憶し（ステップＳ２０１）、続いて、前述ステップＳ１０１の処理と同様に、チューナ部１１５からのＦＭ信号に基づいてＦＭ多重データデコード部１１２によるＦＭ多重データのデコード出力をＣＰＵ１００が受信、処理してＦＭ多重データ受信がＯＫか否かを判定する（ステップＳ２０２）。ここで、ＦＭ多重データ受信ができる（ＯＫ）と判定された場合には、ＦＭ多重受信判定／記憶部１０６にＦＭ多重モードを示すデータとして“１”を記憶し（ステップＳ２０３）、現在の周波数がＦＭ多重局であることを多重局周波数記憶ＦＭ部１０７に記憶して、ステップＳ２０６の処理に移行する。
【００３１】
また、ステップＳ２０２でＦＭ多重データが受信できない（ＮＧ）と判定された場合には、ＦＭ多重受信判定／記憶部１０６にＦＭ多重モードでないことを示すデータとして“２”を記憶して（ステップＳ２０４）、ステップＳ２０６の処理に移行する。
【００３２】
ステップＳ２０６では、ＦＭ多重受信ＯＮ／ＯＦＦスイッチ１１９がＯＮ操作されており、ユーザが文字放送の受信を希望しているか否かを判定する。この判定は、ＦＭ多重受信ＯＮ／ＯＦＦスイッチ１１９からの操作情報をキー操作部１１７を介して受けたＣＰＵ１００が判定する。ステップＳ２０６において、ＯＮ操作されていなければ（ＮＯ）、処理を終了し、ＯＮ操作されていれば（ＹＥＳ）、セレクタ１２０により選択されている音源（ＣＤ，ＭＤ等）をセレクタ情報記憶部１１０に記憶する（ステップＳ２０７）。
【００３３】
続いて、ステップＳ２０８において、現在の受信バンドがＦＭか否かを判定する。ここで、ＦＭバンドでなければ、上述ステップＳ２０１でＦＭ受信周波数記憶部１０５に記憶されているＦＭ局周波数に変更して（ステップＳ２０９）、ステップＳ２１２の処理に移行する。
【００３４】
一方、ステップＳ２０８において、受信バンドがＦＭであるときには、多重受信判定／記憶部ＦＭ１０６に記憶されているデータが“２”であるか、即ち、ＦＭ多重データ受信が不可能（ＮＧ）であるか否かを判定する（ステップＳ２１０）。
【００３５】
ステップＳ１０７における判定が“２”であり、ＦＭ多重データ受信が不可能（ＮＧ）であると判定された場合には、文字放送受信は不可能であるから、直ちにその旨を“データ受信できません”表示として、例えば、３秒間表示した後（ステップＳ２１３）、ステップＳ２０７にて記憶したセレクタ１２０で選択されている音源（本例では、ＣＤ）に関する表示を表示器１０１，１０２に行なう（ステップＳ２１４）。
【００３６】
また、ステップＳ２１０において、ＦＭ多重データ受信が不可能ではない（ＮＧではない）と判定された場合には、周波数記憶多重局ＦＭ部１０７に記憶されているＦＭ多重局であるＦＭ局周波数に変更して（ステップＳ２１１）、ステップＳ２１２の処理に移行する。
【００３７】
ステップＳ２１２においては、多重受信判定／記憶部ＦＭ１０６に記憶されているデータが“１”であるか、即ち、ＦＭ多重モードであるか否かを判定する。
【００３８】
ここで、“１”であり、ＦＭ多重モードであると判定された場合には、「見えるラジオ」表示動作を実行し（ステップＳ２１５）、現在の周波数をＦＭ多重局周波数として多重局周波数記憶ＦＭ部１０７に記憶して（ステップＳ２１６）、処理を終了する。
【００３９】
また、ステップＳ２１２において、ＦＭ多重データの受信ができないと判定されれば（ＮＯ）、上述ステップＳ２１３とステップＳ２１４の処理が実行される。即ち、“データ受信できません”表示を、例えば、３秒間表示した後、記憶されているセレクタ１２０で選択された音源に関する表示を表示器１０１，１０２に行なう。
【００４０】
上述説明における本発明の重要な処理は、次のような処理であり、それによって有効な効果が得られるが、本発明はこれらに限定されるものではないことは勿論である。
（１）見えるラジオ表示（ＦＭ多重文字表示）ができなかったときに、元のセレクタの表示に戻すために現在のセレクタ位置を記憶する。
（２）現在の受信バンドをチェックする。
（３）見えるラジオ機能がしよう不可であることを表示した後、元のセレクタ表示を行なう。
（４）受信バンドがＦＭであったときに、そのＦＭ局がＦＭ多重局かどうかをチェックする。
（５）受信バンドがＦＭでなかったときには、最後に受信していたＦＭ局に変更する。
（６）受信バンドがＦＭであったときに、ＦＭ多重局でなかったときに、次の
（７）で記憶しておいたＦＭ多重局に変更する。
（８）ＦＭ多重ＯＦＦ時に予め、現在受信中の放送局がＦＭ多重局であるかチェックする。
【００４１】
【発明の効果】
以上説明したように、本発明の文字放送受信可能なオーディオシステムによれば、セレクタで選択されている音源がチューナー以外のＣＤやＭＤ等の他の音源であっても、文字放送を受信したいときに迅速で且つ多様な対応が可能となり、ユーザの利便性が格段に改善される。
【図面の簡単な説明】
【図１】本発明による文字放送受信可能なオーディオシステムの一実施形態を示す構成ブロック図である。
【図２】本発明による文字放送受信可能なオーディオシステムの実施形態の処理手順を示すフローチャートである。
【図３】本発明による文字放送受信可能なオーディオシステムの他の実施形態の処理手順を示すフローチャートである。
【図４】音源としてＣＤが選択された場合の文字放送受信可能なオーディオシステムの表示器の表示例を示す図である。
【符号の説明】
１００        ＣＰＵ
１０１        表示器
１０２        表示器
１０３        表示器制御部
１０４        文字コード記憶部
１０５        ＦＭ受信周波数記憶部
１０６        ＦＭ多重受信判定／記憶部
１０７        ＦＭ多重局周波数記憶部
１０８        ＣＤ
１０９        ＭＤ
１１０        セレクタ情報記憶部
１１１        受信バンド情報記憶部
１１２        多重デ−タデコード回路
１１３        ＦＭ文字多重放送受信部
１１４        ＦＭ受信部
１１５        チューナ部
１１６        ＡＭ受信部
１１７        キー操作部
１１８        電源スイッチ
１１９        ＦＭ多重受信ＯＮ／ＯＦＦスイッチ
１２０        セレクタ
１２１        受信バンド切換スイッチ
【図１】
0003593269.tif 000002
【図２】
0003593269.tif 000003
【図３】
0003593269.tif 000004
【図４】
0003593269.tif 000005